(57)【要約】  脱毛、美顔その他の美容処理を行うスキンケア装置において、特にＳＬＥＤチップを用いたＳＬＤ光源の波長を最も機能的なケア対象に合う波長とし、半導体チップ基板を含むモジュールの構成を放熱機能を効率的に果たすことができるようにしてＳＬＤ光源からの特定波長によるスキンケア機能を最大限に発揮できるようにしたスキンケア装置を提供する。  本発明のスキンケア装置は、ＳＬＤチップと、前記ＳＬＤチップを載置支持する金（Ａｕ）層を含む多層金属層で形成された支持基盤と、前記支持基盤の下方に冷却部として配設されたヒートシンクと、により構成したケア光線照射体において、前記ＳＬＤチップの主波長を約８０８ｎｍとし、前記ヒートシンクに冷却用の循環水が通過する導入孔と導出孔を設け水冷方式により前記ケア光線照射体を冷却する機構を有することとした。
2018154758.tif 000002
【特許請求の範囲】
【請求項１】
ハンドピースの内部において、赤外線波長を有する発光ダイオードチップを金（Ａｕ）層を含む多層金属層に載置支持しその下方にヒートシンクを配設してケア光線照射体を構成し、ケア光線照射体から照射するケア光線はケアの目的に応じて波長を特定したことを特徴とするスキンケア装置。
【請求項２】
前記ハンドピースは、ケア光線を照射するための前記ケア光線照射体として選択されたＳＬＤ光源を内蔵するケースを有するように構成したことを特徴とする請求項１に記載のスキンケア装置。
【請求項３】
前記発光ダイオードチップを用いて前記ＳＬＤ光源の波長を最も機能的なケア対象に合う波長とし、主波長が約８０８ｎｍであるＳＬＤチップを使用するように構成したことを特徴とする請求項１または２に記載のスキンケア装置。
【請求項４】
前記金（Ａｕ）層を含む前記多層金属層にニッケル（Ｎｉ）層を介在したことを特徴とする請求項１〜３の何れか１項に記載のスキンケア装置。
【請求項５】
前記ケースに前記ヒートシンクに連通した冷却水用の導入孔と導出孔とを設け、前記導入孔からの冷却水が循環する循環水路を前記ヒートシンク壁面に傾斜格子状に刻設したことを特徴とする請求項１〜４の何れか１項に記載のスキンケア装置。
【請求項６】
前記ケースの前記ヒートシンクを冷却する冷却ファンを設け、前記ヒートシンク壁面に傾斜格子状に刻設したことを特徴とする請求項１〜４の何れか１項に記載のスキンケア装置。
【請求項７】
前記ケースを銅（Ｃｕ）とタングステン（Ｗ）との合金で形成したことを特徴とする請求項１〜６の何れか１項に記載のスキンケア装置。
【発明の詳細な説明】
【技術分野】
【０００１】
本発明は、スキンケア装置に関する。
【背景技術】
【０００２】
従来、脱毛等のスキンケア処理方法として提案されている方法には、例えば、電気針脱毛法、レーザー脱毛法、フラッシュランプによる光線を用いた光脱毛法等がある。【０００３】
電気針脱毛法は、一つ一つの毛穴に針を刺して電気を流し発熱ないしは電気分解によって毛根や毛母細胞などの発毛に関与する部分を破壊して脱毛する方法である。毛穴1本単位で針をさして脱毛するため、確実に脱毛できるものの煩雑で処理時間が長くなる。【０００４】
レーザー脱毛法は、レーザー光が特定の色に吸収されるという特性を用いて、レーザー光を皮膚表面に照射して毛根またはその周囲の細胞組織に化学変化を加えて脱毛する方法である。照射は面単位に行われるので、電気針脱毛法に比べ処理時間が少ない。表層に出ている毛は全体の２０％程度であり、毛周期に合わせて何回か繰り返し処理を行う必要がある。【０００５】
光脱毛法は、キセノン管等のフラッシュランプによる光線を皮膚表面に照射して毛根またはその周囲の細胞組織に化学変化を加えて脱毛する方法である。レーザー脱毛法に比べ、照射エネルギーが少なく、また照射範囲もより広く取ることができ処理時間を短くすることができる。レーザー脱毛法と同じく、毛周期に合わせて何回か繰り返し処理を行う。【０００６】
更に、最近では、特開２０１３−０８５９４８、特開２０１２−０３４９７７、特開２００９−１７２０９５、特開２００７−３３０６９０等に示すようにＬＥＤ光源を利用したスキンケア技術も出てきている。【０００７】
かかるレーザー脱毛法、ＬＥＤスキンケア装置では、一定の照射範囲を形成した照射窓からの放射光でケア部位を照射するが、所定箇所の毛根を焼失させるためには、ケア処理部位全体を繰り返し照射する必要がある。【０００８】
特にＬＥＤを主光源とした光脱毛法においては、ハンドピースの照射面から放射される光の指向性が低く拡散しやすいため、所定のケア箇所に対して有効に作用する照射エネルギーを得ることが困難である。仮に、所定の照射エネルギーを得ようとした場合、ＬＥＤに対して過剰な入力電流値が必要となり、発生した熱を冷却する為の水路機構を複雑且つ大容量とする必要がある。【０００９】
ところで、ある医学刊行物では、照射する光の波長帯により肌への効果が異なることが発表されている。例えば、青色光（波長約４００〜４７０ｎｍ）では、ニキビの炎症を引き起こす座瘡細菌と反応してフリーラジカルが発生しニキビの炎症を防ぐ効果を有するポルフィリン（ｐｏｒｐｈｙｒｉｎ）が含まれていることが発表されている。また、赤色光（波長約６００〜７００ｎｍ）では傷口を癒合して炎症を抑える効果を有するとされている。また黄色光（波長約５５０〜６００ｎｍ）では、皮膚細胞の代謝を促進させるとされ、緑色光（波長約５００〜５５０ｎｍ）では、皮膚腺の機能を調整し、脂腺の活性、ニキビなどの発生を減らす効果を有すると言われている。【００１０】
さらに、６１０〜８００ｎｍの波長帯域の照射光は真皮の深層にまで到達して線維芽細胞を活性化させ、コラーゲン・エラスチンの生成を促進するため、同波長帯の光を複数回照射することにより、しみ・くすみなどの光老化皮膚の改善に有効であると言われている。
【先行技術文献】
【特許文献】
【００１１】
【特許文献１】特開２０１３−０８５９４８号公報
【特許文献２】特開２０１２−０３４９７７号公報
【特許文献３】特開２００９−１７２０９５号公報
【特許文献４】特開２００７−３３０６９０号公報
【発明の開示】
【発明が解決しようとする課題】
【００１２】
このように、従来のスキンケア装置では、キセノンランプやＬＤ等を光源としており、施術者の経験、習熟度、被施術者の肌質等によっては、肌に火傷、色素沈着等が生じる場合もある。また、ＬＥＤを光源として利用するスキンケア装置では、照射光がＬＤと比較して拡散光となりやすく皮膚ケア面に対する照射エネルギーが足りず、長時間のケア作業を余儀なくされ皮膚を痛める恐れがある。さらに、所定の照射エネルギーを有する為にはＬＥＤ光源に対して高い入力電流値が必要となり、その際に発生するＬＥＤ光源周辺の熱量を冷却するための冷却処理が必要となるが、十分な冷却機能を有していない場合は、長時間の照射が難しくなり十分な肌ケアを実施することが困難となる。【００１３】
本発明の目的は、上記課題に鑑み、脱毛、美顔その他の美容処理を行うスキンケア装置において、特にＳＬＥＤチップを用いてＳＬＤ光源の波長を最も機能的なケア対象に合う波長とし、例えば脱毛ケアやシミ取りケアであれば主波長を約８０８ｎｍとする光源を使用するように構成し、しかも、半導体チップ基板を含むモジュールの構成を放熱機能を効率的に果たす多層構造としてＳＬＤ光源からの特定波長によるスキンケア機能を最大限に発揮できるようにしたスキンケア装置を提供する。
【課題を解決するための手段】
【００１４】
本発明のスキンケア装置では、ハンドピースの内部において、赤外線波長を有する発光ダイオードチップを金（Ａｕ）層を含む多層金属層上に載置支持し、その下方に冷却機能を有するヒートシンクを配設してケア光線照射体を構成し、ケア光線照射体から照射するケア光線はケアの目的に応じて波長を特定したことを特徴とするスキンケア装置に関する。【００１５】
また、本発明の選択的な態様の１つにおいて、前記ハンドピースは、ケア光線を照射するためのケア光線照射体として選択されたＳＬＤ光源を内蔵するケースを有するように構成したことにも特徴を有する。【００１６】
また、本発明の選択的な態様の１つにおいて、ケア光線照射体はＳＬＤチップを用いてＳＬＤ光源の波長を最も機能的なケア対象に合う波長とし、主波長が約８０８ｎｍであるＳＬＤチップを使用するように構成したことにも特徴を有する。【００１７】
また、本発明の選択的な態様の１つにおいて、スキンケア照射体を構成する金（Ａｕ）層を含む多層金属層にニッケル（Ｎｉ）層を介在したことにも特徴を有する。【００１８】
また、本発明の選択的な態様の１つにおいて、前記ケースに前記ヒートシンクに連通した冷却水用の導入孔と導出孔とを設け、前記導入孔からの冷却水が循環する循環水路を前記ヒートシンク壁面に傾斜格子状に刻設したことにも特徴を有する。【００１９】
また、本発明の選択的な態様の１つにおいて、前記ケースの前記ヒートシンクを冷却する冷却ファンを設け、前記ヒートシンク壁面に傾斜格子状に刻設したことにも特徴を有する。【００２０】
また、本発明の選択的な態様の１つにおいて、前記ケースを銅（Ｃｕ）とタングステン（Ｗ）との合金で形成したことにも特徴を有する。
【発明の効果】
【００２１】
請求項１の発明によれば、この態様に係るスキンケア装置は、ハンドピースの内部において、赤外線波長を有するダイオードチップを金（Ａｕ）層を含む多層金属層に載置支持しその下方にヒートシンクを配設してケア光線照射体を構成したため、発光ダイオードチップが光を放射する際に発生する熱を熱伝導率の高い多層金属層を通過させてヒートシンクに効率よく伝熱できる。また、ヒートシンクによる冷却処理によりハンドピース内の温度が適切に管理され連続的なスキンケアが可能となる。さらに、ケア光線照射体から照射するケア光線はケアの目的に応じて波長を特定したことを特徴とするため、ケア目的以外の波長域における光放射が微弱であり、従来他の波長帯域に使用されていたエネルギーを必要な波長域に集約しエネルギーロスの少ない効率的なスキンケアが可能となる。その上、赤外線波長を放射することで体を暖め、血液の流れを促進することで組織の新陳代謝が活発になり、痛みの元となる化学物質が取り除かれて痛みが軽くなります。また疲労物質も流れていき、疲労や損傷の回復が早まります。また、筋肉や関節のこわばりが取れて動きが良くなり体を支える働きも高まります。その結果、関節痛、筋肉痛、神経痛、肩こりを改善することができる。【００２２】
請求項２の発明によれば、ハンドピース内に設置されたケア光線を照射するためのケア光線照射体として選択されたＳＬＤ光源を内蔵するケースを有するため、照射される光が照射部位以外の部分に漏洩する恐れが可及的に低減される。また、照射光源にＳＬＤチップを使用することで、照射光がコヒーレント性を有し、且つブロードバンドな波長域の光を放射するため効率的な肌ケアが実現できる。【００２３】
請求項３の発明によれば、ケア光線照射体はＳＬＥＤチップを用いてＳＬＤ光源の波長を最も機能的なケア対象に合う波長とし、主波長が約８０８ｎｍであるＳＬＤチップを使用するように構成したため、メラニン色素に効率よく吸収される。また、照射光が真皮の深層にある繊維芽細胞を活性化させ、コラーゲン・エラスチンの生成を促進することで肌のシミ・くすみなどの光老化皮膚の改善に有効となる効果を有する。【００２４】
請求項４の発明によれば、スキンケア照射体を構成する金（Ａｕ）層を含む多層金属層にニッケル（Ｎｉ）層を介在したため、ＳＬＤチップの発光に伴う発熱による金属層の熱膨張と、冷却部における冷却作用による金属層の収縮との差異をニッケル（Ｎｉ）層により緩和吸収するという作用を有する。【００２５】
請求項５の発明によれば、前記ケースに前記ヒートシンクに連通した冷却水用の導入孔と導出孔とを設け、前記導入孔からの冷却水が循環する循環水路を前記ヒートシンク壁面に傾斜格子状に刻設したことを特徴とするため、冷却水とケースとの接触面積が可及的に拡大され効率よく冷却されると共に、冷却水により上昇した熱量を効率よく放射する他の場所へ移動させることができる。また、効率的な冷却作用により、ケア光線照射体による連続的な肌ケアが安全に実施可能となる。【００２６】
請求項６の発明によれば、前記ケースの前記ヒートシンクを冷却する冷却ファンを設け、前記ヒートシンク壁面に傾斜格子状に刻設したことを特徴とするため、冷却ファンによる対流作用により前記ヒートシンクとの接触面積が可及的に拡大され効率よく冷却されると共に、ハンドピース本体から外部へ効率よく排熱できる。【００２７】
請求項７の発明によれば、ケースを銅（Ｃｕ）とタングステン（Ｗ）との合金で形成したことに特徴を有するため、銅の高い熱伝導率によりケース上部に載置された多層金属層より伝熱された熱が効率よくヒートシンクに伝熱され適切に冷却される。また、タングステンを含有している為、外部からの衝撃に対して強く機器内部での水漏れ不良などの不良を防止することができる。
【図面の簡単な説明】
【００２８】
【図１】本発明の第１実施形態にかかるスキンケア装置の概略構成図である。
【図２】本発明の第１実施形態にかかるハンドピースの構造を示すものであり、（Ａ）はハンドピースの上面図であり、（Ｂ）はハンドピースの側面図であり、（Ｃ）はハンドピースの底面図であり、（ｄ）はハンドピースの正面図である。
【図３】本発明の第１実施形態にかかるハンドピースを片手の平でグリップした状態を示した図であり、（Ａ）はハンドピースを底面視した状態を示す図であり、（Ｂ）はハンドピースを側面視した状態を示す図である。
【図４】本発明の第１実施形態にかかるスキンケア装置の機能構成を例示した図である。
【図５】本発明の第１実施形態にかかるケースを平面視した図である。
【図６】本発明の第１実施形態にかかるケア光線照射体の水冷方式の一部拡大断面図である。
【図７】本発明の第２実施形態にかかるスキンケア装置の概略構成図である。
【図８】本発明の第２実施形態にかかるハンドピース構造を示すものであり、（Ａ）はハンドピースの上面図であり、（Ｂ）はハンドピースの側面図であり、（Ｃ）はハンドピースの底面図であり、（ｄ）はハンドピースの正面図である。
【図９】本発明の第２実施形態にかかるスキンケア装置の機能構成を例示した図である。
【図１０】本発明の第２実施形態にかかるケア光線照射体の空冷方式の一部拡大断面図である。
【発明を実施するための最良の形態】
【００２９】
本発明は、皮膚表面に対向接触してケア光線照射操作を行う把持可能なハンドピースを有するスキンケア装置において、前記ハンドピースは、ケア光線を照射するためのケア光線照射体を内蔵するケースと、ケース下側面に開口したケア光線照射用の照射窓と、照射窓に張設しケア光線を透過可能とした光透過板を備える。【００３０】
以下、本発明の第１実施形態について図面に基づいて詳しく説明する。
先ず、本発明のスキンケア装置について説明する。【００３１】
図１は本発明の第１実施形態にかかるスキンケア装置の概略構成図である。スキンケア装置は、装置本体１及び装置本体１にケーブル４を介して接続されたハンドピース１００を備えている。【００３２】
装置本体１は、マイコン等の制御回路よりなり、各種制御処理を行う制御部２と、操作キー類及び表示器を備えた操作部３と、ハンドピース内の光源の発光に伴う発熱を冷却する冷却部６とにより構成されている。制御部２及び冷却部６については、図４を参照して後述する。【００３３】
図１に示すように、操作部３は、操作パネル３０と緊急停止ボタン３１とキースイッチ３２を設けている。操作パネル３０は、表示パネル３３とＭＯＤＥボタン３４とＳＥＬＥＣＴボタン３５とＯＫボタン３６とにより構成されている。
表示パネル３３は、各種設定の状態、アラーム等を表示するようにしている。ＭＯＤＥボタン３４は、処理モード、Ａ〜Ｄモードのいずれかを選択するボタンであり、Ａ〜Ｄモードでは光の照射箇所、例えばフェイスやボディなどによりモード別に分けたものである。ＳＥＬＥＣＴボタン３５は、光の強弱を上げたり下げたりするボタンである。ＯＫボタン３６は、前記各モードを設定した後に確定するためのボタンである。緊急停止ボタン３１は、緊急事態が発生した場合に強制的にケア光線の照射等を停止するためのボタンである。キースイッチ３２は、図示しないキーを差し込み、時計回りに回すことで本スキンケア装置を操作可能にするためのスイッチである。【００３４】
コネクタ部８は、装置本体１とその先端にハンドピース１０を備えたケーブル４との接続部である。コネクタ部８には、電気系統コネクタ８１と冷却水コネクタ８２とが設けられている。【００３５】
図１及び図４に示すように、ハンドピース１０は、略長方形のケースよりなるハンドピース本体１００と、ハンドピース本体１００の後端に連接した筒状のグリップ部１０３と、グリップ部１０３の基端下面に配設した照射ボタン１０４、ハンドピース本体１００の上面先端部に配設した表示器１０５、略長方形のハンドピース本体１００の上面で表示器１０５の後方に配設した照射カウンタ１０６、ハンドピース本体１００の内部に長手方向に沿って架設したケア光線照射体およびハンドピース本体１００の下底面に方形状に配設した照射窓１５２を備えた照射部１５０より構成されている。
ハンドピース１０は、グリップ部１０３を手で掴み、スキンケアを行う部位に照射部１５０を対向させて操作するようになっている。【００３６】
ケーブル４は装置本体１とハンドピース１０を接続し、装置本体１とハンドピ−ス間の各種信号のやり取りをする信号線、光源へ電力を供給する電力線、装置本体１とハンドピース１０で冷却水を循環させるための冷却水パイプ６４（図示せず）を収容している。ケーブル４は、一端をコネクタ部８に、他端はグリップ部１０３を通してハンドピース本体１００に接続している。【００３７】
図２は、本発明の実施形態にかかるスキンケア装置のハンドピース１０の外観を示している。表示器１０５は、発光ダイオード等の発光素子を備えており、照射部１５０が停止状態、待機状態、照射中のどの状態であるかを緑色、黄色、赤色などの異なる発光色で示している。照射カウンタ１０６は、設置時からの累積照射回数を記憶し表示する。【００３８】
図３は、ハンドピースを片手の平でグリップした状態を示した図である。
図３（Ａ）は、ハンドピース本体１００をグリップし、照射ボタン１０４を親指で押さえている状態を示している。【００３９】
図３（Ａ）及び図３（Ｂ）に示すように、棒状のグリップ部１０３はハンドピース本体１００のケースと一体に形成されており、ハンドピース本体１００の前後の長さと略同一の長さに構成すると共に、ハンドピース本体１００の基端上部に延設している。【００４０】
これにより、図３（Ａ）及び図３（Ｂ）に示すように、スキンケアを行う処理部位に応じて操作しやすいグリップ形態をとることができ、安全で確実な操作が可能である。【００４１】
（本実施形態の各部位の役割を示す）
図４は、本発明の実施形態に係るスキンケア装置の機能構成を例示した図である。装置本体１の制御部２は、照射制御部２０１と操作制御部２０２を備えており、照射制御部２０１は、照射ボタン１０４の押下操作に基づいて照射部１５０を作動させて光源を発光させ、一定波長のケア光線を方形状の照射窓１５２を通して照射するように制御する。【００４２】
操作制御部２０２は、ハンドピースの状態及び照射ボタン１０４の押下操作に基づいて表示器１０５を停止状態、待機状態または照射中に設定するように制御する。【００４３】
冷却部６は、ハンドピース本体１００の光源の発光に伴う発熱を冷却水で冷却する。すなわち、光源から発生し支持基盤２００を通じてヒートシンク３００に到達した熱エネルギーは、冷却部６とヒートシンク３００を循環する冷却水により冷却される。【００４４】
かかる本発明のスキンケア装置は以上のように構成されており、本発明の要旨はかかるスキンケア装置においてハンドピース本体１００内部に配設されたＳＬＤ光源１５１及びこれに関連する周辺機器の構造にある。
すなわち、ハンドピース本体１００内部には、ケア光線照射用の照射窓１５２と、照射窓１５２に張設しケア光線を透過可能とした光透過板に対応する位置にケア光線照射体４００が内蔵されている。【００４５】
ケア光線照射体４００は、熱伝導率の高い銅（Ｃｕ）とタングステン（Ｗ）との合金よりなる立方形状のケース５００の内部に、表面にＳＬＤ光源１５１を載置した支持基盤２００と、支持基盤２００の下方に配設したヒートシンク３００とを収納することにより構成されている。このように収納することで、照射されるケア光線がケア部位以外に放射される蓋然性を可及的に低減し、光漏洩による損失を低減する。また、熱伝導率の高い銅（Ｃｕ）のケースに覆われているため、ＳＬＤ光源１５１内で発生した熱を可及的に拡散させる作用を有し、熱によるＳＬＤ光源１５１の劣化を防ぐことができるという効果を有する。【００４６】
ＳＬＤ光源１５１はＳＬＤチップ１６０を複数個並べることで構成しており、本実施形態では図５に図示しているように、例えば、ＳＬＤチップ１６０を１２個並べた構成としている。ＳＬＤチップ１６０は、ケア対象に合う機能的な波長を有しており、例えば、主波長が約８０８ｎｍである光を放射する素子で構成されている。これにより、照射エネルギーが効率よくメラニン色素に吸収され毛母細胞を焼失させると共に、真皮の深層にある繊維芽細胞を活性化させ、コラーゲン・エラスチンの生成を促進することで肌のシミ・くすみなどの光老化皮膚の改善に有効となる効果を有すると共に、皮膚に対する共鳴吸収により血管を拡張・充血し、筋肉痛、関節痛、神経痛、肩こり等の痛みに対する鎮痛作用が期待できる効果を有する。
一般にケア光線としてダイオードを用いる場合は、ＳＬＤ光源、ＬＤ光源、ＬＥＤ光源等が使用されるが、本発明では特にＳＬＤ光源を用いる。【００４７】
その理由としては、それぞれの光源が有する特性に起因する。
ＬＤ光源は、高いコヒーレント性を有し、且つピークとなる波長域以外の光をほとんど放射しないため、省エネルギーでの施術が可能となる。しかし、施術面積が非常に狭く作業効率が悪いという欠点を有する。また、照射光がスポット光となるため照射時間を考慮しなければ被施術者の肌に火傷、色素沈着を生じてしまうという問題があり、熟練の施術者しかケア作業に従事できないという欠点も有している。【００４８】
ＬＥＤ光源の場合は、照射光のコヒーレント性が低く、ピーク波長を中心として可視光領域全域に渡り放射する。そのため、照射光の拡散度合いが高く広い照射範囲を有するが、必要な照射エネルギーを得る為にはＬＥＤ光源に対して過剰な電流値を入力してやる必要がある。以上のように、ＬＤ光源とＬＥＤ光源にはそれぞれスキンケア光線として使用する際に欠点を有している。【００４９】
ＳＬＤ光源は両光源の欠点を補う特性を有している。ＳＬＤ光源は、ＬＥＤ光源よりも高いコヒーレント性を有しながら、放射される波長帯域が広い為、スキンケア光線として必要な照射エネルギーをＳＬＤチップに入力可能な規定の電流値内で実現することができる。また、ＬＤ光源と比較して照射面積が広い為、施術効率としても優れている。【００５０】
ＳＬＤチップ１６０は以下に示す支持基盤２００に載置されている。
支持基盤２００は、図６に示すように、ＳＬＤチップ載置面側を表面とし、その表面から第１金（Ａｕ）層２０１と酸化ベリリウム（ＢｅＯ）層２０２と第２金（Ａｕ）層２０３とニッケル（Ｎｉ）層２０４と第３金（Ａｕ）層２０５とを積層して構成されている。
なお、酸化ベリリウム（ＢｅＯ）２０２にはダイアモンド粉末を混入している。
しかも、この支持基盤２００の表面の第１金（Ａｕ）層２０１と裏面の第３金（Ａｕ）層２０５には最上層の金（Ａｕ）層２０６と最下層の金（Ａｕ）層２０７が防錆のために第１半田２０８と第２半田２０９にて半田付けされている。
なお、ここで、金（Ａｕ）層やニッケル（Ｎｉ）層等のように金属層として表現したものは金属プレートや金属シート等の薄膜形状や薄板形状を総称して表現したものである。
半田２０８と半田２０９は、金（Ａｕ）とスズ（Ｓｎ）との合金や、亜鉛（Ｚｎ）とスズ（Ｓｎ）との合金よりなる。
上記の支持基盤２００の多層金属構成のうち金（Ａｕ）層を使用するのは金属の錆びにくい性質と共に半田の濡れ性を考慮したものである。また、酸化ベリリウム（ＢｅＯ）層２０２を使用するのはセラミックスの一種として硬度を有する一枚の板状態として利用するものであり、また、ニッケル（Ｎｉ）層はＳＬＤチップ１６０の発光に伴う発熱による金属層の膨張と、ヒートシンクにおける冷却作用による金属層の収縮との差異を吸収するためのものである。【００５１】
このように構成した支持基盤２００の構造の下方にはヒートシンク３００を設けている。
すなわち、ヒートシンク３００は支持基盤２００で載置支持したＳＬＤチップ１６０の発光に伴う発熱を冷却するためのものであり、支持基盤２００の構造は可及的に伝導放熱しやすく金（Ａｕ）層を主体に構成しており、かかる構成からの伝導熱はヒートシンク３００において冷却される。【００５２】
ヒートシンク３００は、支持基盤２００における最下層の金（Ａｕ）層２０７の下方においてケース５００下部に水流路の空間を形成して構成されている。すなわち、ケース５００下部の肉厚部分に水流路のための空間部５０３を形成し、ケース５００下部の肉厚部分に形成した空間部５０３の天井面５０１はヒートシンク３００に隣接しており、しかも、水流路の空間部の天井面５０１及び内底面５０２はそれぞれスリット上の循環水路を形成している。さらに、上下面の斜め状のスリット状の循環水路は互い傾斜格子状に交差した形状としている。また、天井面５０１と循環水との接触面には、腐食防止と伝導放熱を考慮して第４金（Ａｕ）層５０６を設けており、内底面５０２にも同様に腐食防止用と伝導放熱を考慮して第５金（Ａｕ）層５０７を設けている。
そのため、水流路を流れる循環水とケース５００下部の肉厚部に形成した空間部５０３の天井面５０１と内底面５０２とが接触する面積が可及的に拡大され、ヒートシンク３００からの放熱が効率よく実施されるようになっている。
装置本体１の冷却水コネクタ８２には装置本体１内の冷却水を冷却水ケーブル４を介してケース５００内のヒートシンク３００との間で循環させるように構成しており、また、図５に図示している通りケース５００の一側面にはヒートシンク３００に冷却水を導入するための導水孔５０４と導出孔５０５が形成されてそれぞれ冷却水ケーブル４に接続されている。
そのため、ＳＬＤ光源１５１に蓄熱されている熱を効率よく装置本体１の冷却部６に伝導することが可能となり、ケース５００内に熱が留まる蓋然性を可及的に低減し、ＳＬＤチップ１６０への熱の蓄積によるダメージを軽減させ長期間の使用が可能となっている。【００５３】
また、ヒートシンク３００´の冷却方法について、他の実施例を図面を参照して説明する。図１０はヒートシンク３００´を冷却ファン６００にて冷却する場合のケア光線照射体４００´の一部を示した拡大断面図である。なお、上述した実施形態１と同様の部分についての詳細な説明は省略する。【００５４】
ＳＬＤ光源１５１´はＳＬＤチップ１６０が１つで構成されており、第２実施形態ではＳＬＤ光源１５１´の略中央部に配設している。これにより、照射エネルギーを低減し、ＳＬＤチップから放出される熱量を抑え、後述する冷却ファン６００の冷却作用にて十分に冷却可能な熱量に抑えられ、家庭でも使用できるコンパクトな形状を実現できる。【００５５】
ケース５００´は、支持基盤２００における最下層の金（Ａｕ）層２０７の下方においてヒートシンク３００´を有し、さらにヒートシンク３００´の下方に冷却ファン６００を有している。ヒートシンク３００´は空気との接触面を傾斜格子形状とすると共に、腐食防止と伝導放熱を考慮して第４金（Ａｕ）層５０６を設けており、冷却ファン６００の排熱処理機構と併用することで効率的な排熱ができる。
冷却ファン６００は、装置本体１の制御部２にて駆動を管理しており、照射ボタン１０４の押下状態と連動して回転を開始し、照射ボタン１０４から指を離した後も余熱分を冷却するため数分間回転し続け、ハンドピース本体１００´内の対流冷却を実施する。【００５６】
また、ハンドピース本体１００´は図８のように上面にスリット７００を有している。スリット７００は、平面視略矩形形状を有しており、冷却ファン６００と併用することでハンドピース本体１００´の外部へケース５００´が有する熱を排熱することができる。さらに、スリット７００は、幅１ｍｍ以下の開口形状としており、１ｍｍ以上のホコリがハンドピース本体１００´内に進入しないように構成している。【００５７】
また、第２実施形態では空冷方式とすることで装置本体１´に設けられた冷却部６と循環水の循環経路として設けられた接合部８に配設された冷却系統コネクタ８２が不要となる。これにより、装置本体１´とケーブル４´のスリム化が可能となる。【００５８】
かかる構成とすることで、ハンドピース本体１００´内の熱を効率よく外部に排熱でき、ＳＬＤチップ１６０への熱の蓄積によるダメージを軽減させ長期間の使用が可能となる。【００５９】
本発明の実施例は上記のように構成されて各種のスキンケアに使用できるものであるが、本発明はかかるスキンケア以外にも医療用としても機能する。例えば、ＳＬＤ光源による主波長が約８０８ｎｍの赤外線波長を利用して腰痛、神経痛、肩コリ、皮膚疾患、毛髪育毛、毛生え療法等に対する温熱療法と共に、疾患部への集中的なＳＬＤの赤外線照射による癌治療にも利用することもできる。
かかる医療用に使用する場合には、臨床データを参照しながら照射時間と温度調節を疾患箇所によって適宜適用することが必要となる。【００６０】
上記の実施形態の説明では、技術的に種々の限定がなされているが、本発明はこれらの形態に限定されるものではない。
【符号の説明】
【００６１】
１  装置本体
１´装置本体
２  制御部
３  操作部
４  ケーブル
６  冷却部
８  コネクタ部
１０  ハンドピース
６１  ペルチェユニット
６２  冷却水タンク
６３  送水ポンプ
６４  冷却水パイプ
８１  電気系統コネクタ
８２  冷却系統コネクタ
１００  ハンドピース本体
１００´ハンドピース本体
１０３  グリップ部
１０４  照射ボタン
１０５  表示器
１０６  照射カウンタ
１５０  照射部
１５１  ＳＬＤ光源
１５１´ＳＬＤ光源
１５２  照射窓
１６０  ＳＬＤチップ
２００  支持基盤
２０１  第１金（Ａｕ）層
２０２  酸化ベリリウム（ＢｅＯ）層
２０３  第２金（Ａｕ）層
２０４  ニッケル（Ｎｉ）層
２０５  第３金（Ａｕ）層
２０６  最上層の金（Ａｕ）層
２０７  最下層の金（Ａｕ）層
２０８  第１半田
２０９  第２半田
３００  ヒートシンク
３００´ヒートシンク
４００  ケア光線照射体
４００´ケア光線照射体
５００  ケース
５００´ケース
５０１  天井面
５０２  内底面
５０３  空間部
５０４  導水孔
５０５  導出孔
５０６  第４金（Ａｕ）層
５０７  第５金（Ａｕ）層
６００  冷却ファン
７００  スリット
【図１】
2018154758.tif 000003
【図２】
2018154758.tif 000004
【図３】
2018154758.tif 000005
【図４】
2018154758.tif 000006
【図５】
2018154758.tif 000007
【図６】
2018154758.tif 000008
【図７】
2018154758.tif 000009
【図８】
2018154758.tif 000010
【図９】
2018154758.tif 000011
【図１０】
2018154758.tif 000012
【国際調査報告】
2018154758.tif 000013
2018154758.tif 000014
2018154758.tif 000015
2018154758.tif 000016